(57)【要約】【課題】ユーザが店舗において商品をみながら購入対象を選び、商品購入はオンラインショッピングで行った場合でも、店舗にも利益をもたらす。【解決手段】ユーザ端末装置３は、店舗において撮影した商品に関する被写体の撮影画像と、撮影時の当該装置の位置を示す撮影位置情報を商品販売装置１に送信する。商品販売装置１は、店舗ＩＤと店舗位置情報、商品検索用の画像であるマッチング用情報と商品ＩＤ、商品ＩＤと商品の価格を関連付けて記憶しており、受信した撮影画像に対応するマッチング用情報を特定し、特定したマッチング用情報に関連付けられた商品ＩＤを読み出す。そして、読み出した商品ＩＤと関連付けて記憶している価格に基づいて請求金額を算出し、ユーザに対する決済処理を行う。さらに、商品販売装置１は、撮影位置情報に対応する店舗位置情報と関連付けて記憶している店舗ＩＤの店舗へのレベニューシェアを請求金額に基づいて算出する。【選択図】図１
2015038676.tif 000002
【特許請求の範囲】
【請求項１】
ユーザの端末装置と商品販売装置とを有する商品販売システムであって、
前記ユーザの端末装置は、
商品に関する被写体を撮影し、撮影画像を生成する撮影部と、
撮影時の当該ユーザの端末装置の位置を示す撮影位置情報を取得する位置情報取得部と、
前記撮影部が生成した前記撮影画像または当該撮影画像に基づいて得られたデータである撮影情報と前記位置情報取得部が取得した前記撮影位置情報とを前記商品販売装置に送信する処理部と、
を備え、
前記商品販売装置は、
店舗を特定する店舗特定情報と前記店舗の位置を示す店舗位置情報とを関連付けて記憶する店舗情報記憶部と、
商品検索用のデータであるマッチング用情報と商品を特定する商品特定情報とを関連付けて記憶するとともに、前記商品特定情報と商品の価格とを関連付けて記憶する商品情報記憶部と、
前記ユーザの端末装置から前記撮影情報と前記撮影位置情報とを受信する受信部と、
前記商品情報記憶部に記憶されている前記マッチング用情報の中から、前記受信部が受信した前記撮影情報に対応するマッチング用情報を特定し、特定した前記マッチング用情報に関連付けられた前記商品特定情報を前記商品情報記憶部から読み出す検索部と、
前記検索部により読み出された前記商品特定情報と関連付けて前記商品情報記憶部に記憶されている前記価格に基づいて請求金額を算出し、ユーザに対する決済処理を行う決済部と、
前記店舗情報記憶部に記憶されている前記店舗位置情報の中から、前記受信部が受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済部が算出した前記請求金額に基づいて計算するレベニューシェア計算部と、
を備える、
ことを特徴とする商品販売システム。
【請求項２】
前記商品情報記憶部は、前記商品に関する情報を示す商品情報を前記商品特定情報に関連付けてさらに記憶しており、
前記ユーザの端末装置は、
前記商品販売装置から受信した前記商品情報を表示する表示部をさらに備え、
前記商品販売装置は、
前記検索部により読み出された前記商品特定情報と関連付けて前記商品情報記憶部に記憶されている前記商品情報を読み出して前記ユーザの端末装置へ送信する商品情報通知部と、
前記商品情報通知部が通知した前記商品情報に対応して前記ユーザの端末装置から購入要求を受信する購入要求受信部とをさらに備え、
前記処理部は、ユーザの入力に従って購入要求を商品販売装置に送信し、
前記決済部は、前記購入要求受信部が前記購入要求を受信した場合に、前記検索部により読み出された前記商品特定情報と関連付けて前記商品情報記憶部に記憶されている前記価格に基づいて請求金額を算出し、ユーザに対する決済処理を行う、
ことを特徴とする請求項１に記載の商品販売システム。
【請求項３】
前記商品情報通知部は、前記検索部により読み出された前記商品特定情報と関連付けて前記商品情報記憶部に記憶されている前記商品情報と、当該商品情報に基づいて関連すると判断された他の前記商品情報とを前記ユーザの端末装置に配信し、
前記購入要求受信部は、前記商品情報通知部が通知した前記商品情報及び他の前記商品情報のそれぞれに対応した商品の中からユーザが選択した商品に対する購入要求を前記ユーザの端末装置から受信し、
前記決済部は、前記購入要求受信部が受信した前記購入要求が示す商品の前記商品特定情報と関連付けて前記商品情報記憶部に記憶されている前記価格に基づいて請求金額を算出し、ユーザに対する決済処理を行う、
ことを特徴とする請求項２に記載の商品販売システム。
【請求項４】
前記商品情報通知部は、前記検索部により読み出された前記商品特定情報と関連付けて前記商品情報記憶部に記憶されている前記商品情報と、当該商品情報に基づいて関連すると判断された他の前記商品情報と中から、所定の条件に合致する商品情報を選択して前記ユーザの端末装置に配信する、
ことを特徴とする請求項３に記載の商品販売システム。
【請求項５】
前記商品情報記憶部は、前記商品の在庫情報をさらに記憶しており、
前記商品情報通知部は、前記ユーザの端末装置へ配信する前記商品情報に対応した商品について前記商品情報記憶部が記憶している前記在庫情報が在庫なしを示す場合、在庫なしの前記商品情報を前記ユーザの端末装置へ配信しない、あるいは、在庫なしであることを示す情報を付加して前記ユーザの端末装置に配信する、
ことを特徴とする請求項２から請求項４のいずれか１項に記載の商品販売システム。
【請求項６】
前記撮影情報及び前記マッチング用情報は、前記店舗における商品の外観の一部の画像である、
ことを特徴とする請求項１から請求項５のいずれか１項に記載の商品販売システム。
【請求項７】
前記商品特定情報により特定される前記商品は、電子コンテンツであり、
前記商品販売装置は、
前記決済部における決済処理に用いられた前記商品特定情報により特定される電子コンテンツを前記ユーザの端末装置に配信する配信部をさらに備える、
ことを特徴とする請求項１から請求項６のいずれか１項に記載の商品販売システム。
【請求項８】
前記撮影情報及び前記マッチング用情報は、書籍の表紙の画像であり、
前記電子コンテンツは、電子書籍である、
ことを特徴とする請求項７に記載の商品販売システム。
【請求項９】
前記商品特定情報により特定される前記商品は、物品である、
ことを特徴とする請求項１から請求項６のいずれか１項に記載の商品販売システム。
【請求項１０】
前記商品販売装置は、
前記決済部における決済処理の対象となった前記ユーザに特典を付与するユーザ特典付与部をさらに備える、
ことを特徴とする請求項１から請求項９のいずれか１項に記載の商品販売システム。
【請求項１１】
前記処理部は、前記検索部及び前記レベニューシェア計算部の全てまたは一部の機能を実行する、
ことを特徴とする請求項１から請求項１０のいずれか１項に記載の商品販売システム。
【請求項１２】
店舗を特定する店舗特定情報と前記店舗の位置を示す店舗位置情報とを関連付けて記憶する店舗情報記憶部と、
商品検索用のデータであるマッチング用情報と商品を特定する商品特定情報とを関連付けて記憶するとともに、前記商品特定情報と商品の価格とを関連付けて記憶する商品情報記憶部と、
ユーザの端末装置から商品に関する被写体の撮影画像または当該撮影画像に基づいて得られたデータである撮影情報と撮影時の当該ユーザの端末装置の位置を示す撮影位置情報とを受信する受信部と、
前記商品情報記憶部に記憶されている前記マッチング用情報の中から、前記受信部が受信した前記撮影情報に対応するマッチング用情報を特定し、特定した前記マッチング用情報に関連付けられた前記商品特定情報を前記商品情報記憶部から読み出す検索部と、
前記検索部により読み出された前記商品特定情報と関連付けて前記商品情報記憶部に記憶されている前記価格に基づいて請求金額を算出し、ユーザに対する決済処理を行う決済部と、
前記店舗情報記憶部に記憶されている前記店舗位置情報の中から、前記受信部が受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済部が算出した前記請求金額に基づいて計算するレベニューシェア計算部と、
を備えることを特徴とする商品販売装置。
【請求項１３】
ユーザの端末装置と商品販売装置とを有する商品販売システムに用いられる商品販売方法であって、
前記商品販売装置は、
店舗を特定する店舗特定情報と前記店舗の位置を示す店舗位置情報とを関連付けて記憶する店舗情報記憶部と、
商品検索用のデータであるマッチング用情報と商品を特定する商品特定情報とを関連付けて記憶するとともに、前記商品特定情報と商品の価格とを関連付けて記憶する商品情報記憶部とを備えており、
前記ユーザの端末装置において、
撮影部が、商品に関する被写体を撮影し、撮影画像を生成する撮影過程と、
位置情報取得部が、撮影時の当該ユーザの端末装置の位置を示す撮影位置情報を取得する位置情報取得過程と、
処理部が、前記撮影過程において生成された前記撮影画像または当該撮影画像に基づいて得られたデータである撮影情報と前記位置情報取得過程において取得した前記撮影位置情報とを前記商品販売装置に送信する送信過程と、
前記商品販売装置において、
受信部が、前記ユーザの端末装置から前記撮影情報と前記撮影位置情報とを受信する受信過程と、
検索部が、前記商品情報記憶部に記憶されている前記マッチング用情報の中から、前記受信過程において受信した前記撮影情報に対応するマッチング用情報を特定し、特定した前記マッチング用情報に関連付けられた前記商品特定情報を前記商品情報記憶部から読み出す検索過程と、
決済部が、前記検索過程において読み出された前記商品特定情報と関連付けて前記商品情報記憶部に記憶されている前記価格に基づいて請求金額を算出し、ユーザに対する決済処理を行う決済過程と、
レベニューシェア計算部が、前記店舗情報記憶部に記憶されている前記店舗位置情報の中から、前記受信過程において受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済過程において算出した前記請求金額に基づいて計算するレベニューシェア計算過程と、
を有することを特徴とする商品販売方法。
【請求項１４】
商品販売装置に用いられる商品販売方法であって、
前記商品販売装置は、
店舗を特定する店舗特定情報と前記店舗の位置を示す店舗位置情報とを関連付けて記憶する店舗情報記憶部と、
商品検索用のデータであるマッチング用情報と商品を特定する商品特定情報とを関連付けて記憶するとともに、前記商品特定情報と商品の価格とを関連付けて記憶する商品情報記憶部を備えており、
前記商品販売装置において、
受信部が、ユーザの端末装置から商品に関する被写体の撮影画像または当該撮影画像に基づいて得られたデータである撮影情報と撮影時の当該ユーザの端末装置の位置を示す撮影位置情報とを受信する受信過程と、
検索部が、前記商品情報記憶部に記憶されている前記マッチング用情報の中から、前記受信過程において受信した前記撮影情報に対応するマッチング用情報を特定し、特定した前記マッチング用情報に関連付けられた前記商品特定情報を前記商品情報記憶部から読み出す検索過程と、
決済部が、前記検索過程において読み出された前記商品特定情報と関連付けて前記商品情報記憶部に記憶されている前記価格に基づいて請求金額を算出し、ユーザに対する決済処理を行う決済過程と、
レベニューシェア計算部が、前記店舗情報記憶部に記憶されている前記店舗位置情報の中から、前記受信過程において受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済過程において算出した前記請求金額に基づいて計算するレベニューシェア計算過程と、
を有することを特徴とする商品販売方法。
【発明の詳細な説明】
【技術分野】
【０００１】
本発明は、商品販売システム、商品販売装置、及び商品販売方法に関する。
【背景技術】
【０００２】
近年、ユーザが、オンラインショッピングなどを利用して商品を購入する機会が増えてきている。例えば、特許文献１には、ユーザが端末で電子書籍を検索した後、ネットワークに接続して購入手続きを行う技術が記載されている。一方、特許文献２には、ユーザが書店に設置されたディスプレイの表示を見ながら購入する書籍を決め、その書籍を印刷物の書籍か電子書籍かを選択して購入する技術が記載されている。
【先行技術文献】
【特許文献】
【０００３】
【特許文献１】特開２０１１−２５３４１６号公報
【特許文献２】特開２０１２−２０８５９０号公報
【発明の概要】
【発明が解決しようとする課題】
【０００４】
オンラインショッピングのように商品販売をＥＣ(電子商取引）によって行う場合でも、そのプロモーションをポスターなどのリアルな媒体で行うことは効果的である。特に、店舗には商品に興味を持っているユーザが訪れるため、店舗でプロモーションを行えばより効果が上がることが見込まれる。しかし、ポスターを見たユーザが、店舗において実際の商品を見て購入対象を決め、オンラインショッピングで購入を行った場合、オンラインショッピングサイトの運営者の利益となるが、プロモーションに協力した店舗にはほとんど利益がなかった。そのため、プロモーションに協力してくれる店舗を確保するのは困難であった。
【０００５】
本発明は、このような事情を考慮してなされたもので、ユーザが店舗において商品をみながら購入対象を選び、商品購入はオンラインショッピングで行った場合でも、店舗にも利益をもたらすことができる商品販売システム、商品販売装置、及び商品販売方法を提供する。
【課題を解決するための手段】
【０００６】
上記目的を達成するために、本発明の一態様は、ユーザの端末装置と商品販売装置とを有する商品販売システムであって、前記ユーザの端末装置は、商品に関する被写体を撮影し、撮影画像を生成する撮影部と、撮影時の当該ユーザの端末装置の位置を示す撮影位置情報を取得する位置情報取得部と、前記撮影部が生成した前記撮影画像または当該撮影画像に基づいて得られたデータである撮影情報と前記位置情報取得部が取得した前記撮影位置情報とを前記商品販売装置に送信する処理部と、を備え、前記商品販売装置は、店舗を特定する店舗特定情報と前記店舗の位置を示す店舗位置情報とを関連付けて記憶する店舗情報記憶部と、商品検索用のデータであるマッチング用情報と商品を特定する商品特定情報とを関連付けて記憶するとともに、前記商品特定情報と商品の価格とを関連付けて記憶する商品情報記憶部と、前記ユーザの端末装置から前記撮影情報と前記撮影位置情報とを受信する受信部と、前記商品情報記憶部に記憶されている前記マッチング用情報の中から、前記受信部が受信した前記撮影情報に対応するマッチング用情報を特定し、特定した前記マッチング用情報に関連付けられた前記商品特定情報を前記商品情報記憶部から読み出す検索部と、前記検索部により読み出された前記商品特定情報と関連付けて前記商品情報記憶部に記憶されている前記価格に基づいて請求金額を算出し、ユーザに対する決済処理を行う決済部と、前記店舗情報記憶部に記憶されている前記店舗位置情報の中から、前記受信部が受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済部が算出した前記請求金額に基づいて計算するレベニューシェア計算部と、を備える、ことを特徴とする商品販売システムである。
【０００７】
また、本発明の一態様は、上述する商品販売システムであって、前記商品情報記憶部は、前記商品に関する情報を示す商品情報を前記商品特定情報に関連付けてさらに記憶しており、前記ユーザの端末装置は、前記商品販売装置から受信した前記商品情報を表示する表示部をさらに備え、前記商品販売装置は、前記検索部により読み出された前記商品特定情報と関連付けて前記商品情報記憶部に記憶されている前記商品情報を読み出して前記ユーザの端末装置へ送信する商品情報通知部と、前記商品情報通知部が通知した前記商品情報に対応して前記ユーザの端末装置から購入要求を受信する購入要求受信部とをさらに備え、前記処理部は、ユーザの入力に従って購入要求を商品販売装置に送信し、前記決済部は、前記購入要求受信部が前記購入要求を受信した場合に、前記検索部により読み出された前記商品特定情報と関連付けて前記商品情報記憶部に記憶されている前記価格に基づいて請求金額を算出し、ユーザに対する決済処理を行う、ことを特徴とする。
【０００８】
また、本発明の一態様は、上述する商品販売システムであって、前記商品情報通知部は、前記検索部により読み出された前記商品特定情報と関連付けて前記商品情報記憶部に記憶されている前記商品情報と、当該商品情報に基づいて関連すると判断された他の前記商品情報とを前記ユーザの端末装置に配信し、前記購入要求受信部は、前記商品情報通知部が通知した前記商品情報及び他の前記商品情報のそれぞれに対応した商品の中からユーザが選択した商品に対する購入要求を前記ユーザの端末装置から受信し、前記決済部は、前記購入要求受信部が受信した前記購入要求が示す商品の前記商品特定情報と関連付けて前記商品情報記憶部に記憶されている前記価格に基づいて請求金額を算出し、ユーザに対する決済処理を行う、ことを特徴とする。
【０００９】
また、本発明の一態様は、上述する商品販売システムであって、前記商品情報通知部は、前記検索部により読み出された前記商品特定情報と関連付けて前記商品情報記憶部に記憶されている前記商品情報と、当該商品情報に基づいて関連すると判断された他の前記商品情報と中から、所定の条件に合致する商品情報を選択して前記ユーザの端末装置に配信する、ことを特徴とする。
【００１０】
また、本発明の一態様は、上述する商品販売システムであって、前記商品情報記憶部は、前記商品の在庫情報をさらに記憶しており、前記商品情報通知部は、前記ユーザの端末装置へ配信する前記商品情報に対応した商品について前記商品情報記憶部が記憶している前記在庫情報が在庫なしを示す場合、在庫なしの前記商品情報を前記ユーザの端末装置へ配信しない、あるいは、在庫なしであることを示す情報を付加して前記ユーザの端末装置に配信する、ことを特徴とする。
【００１１】
また、本発明の一態様は、上述する商品販売システムであって、前記撮影情報及び前記マッチング用情報は、前記店舗における商品の外観の一部の画像である、ことを特徴とする。
【００１２】
また、本発明の一態様は、上述する商品販売システムであって、前記商品特定情報により特定される前記商品は、電子コンテンツであり、前記商品販売装置は、前記決済部における決済処理に用いられた前記商品特定情報により特定される電子コンテンツを前記ユーザの端末装置に配信する配信部をさらに備える、ことを特徴とする。
【００１３】
また、本発明の一態様は、上述する商品販売システムであって、前記撮影情報及び前記マッチング用情報は、書籍の表紙の画像であり、前記電子コンテンツは、電子書籍である、ことを特徴とする。
【００１４】
また、本発明の一態様は、上述する商品販売システムであって、前記商品特定情報により特定される前記商品は、物品である、ことを特徴とする。
【００１５】
また、本発明の一態様は、上述する商品販売システムであって、前記商品販売装置は、前記決済部における決済処理の対象となった前記ユーザに特典を付与するユーザ特典付与部をさらに備える、ことを特徴とする。
【００１６】
また、本発明の一態様は、上述する商品販売システムであって、前記処理部は、前記検索部及び前記レベニューシェア計算部の全てまたは一部の機能を実行する、ことを特徴とする。
【００１７】
また、本発明の一態様は、店舗を特定する店舗特定情報と前記店舗の位置を示す店舗位置情報とを関連付けて記憶する店舗情報記憶部と、商品検索用のデータであるマッチング用情報と商品を特定する商品特定情報とを関連付けて記憶するとともに、前記商品特定情報と商品の価格とを関連付けて記憶する商品情報記憶部と、ユーザの端末装置から商品に関する被写体の撮影画像または当該撮影画像に基づいて得られたデータである撮影情報と撮影時の当該ユーザの端末装置の位置を示す撮影位置情報とを受信する受信部と、前記商品情報記憶部に記憶されている前記マッチング用情報の中から、前記受信部が受信した前記撮影情報に対応するマッチング用情報を特定し、特定した前記マッチング用情報に関連付けられた前記商品特定情報を前記商品情報記憶部から読み出す検索部と、前記検索部により読み出された前記商品特定情報と関連付けて前記商品情報記憶部に記憶されている前記価格に基づいて請求金額を算出し、ユーザに対する決済処理を行う決済部と、前記店舗情報記憶部に記憶されている前記店舗位置情報の中から、前記受信部が受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済部が算出した前記請求金額に基づいて計算するレベニューシェア計算部と、を備えることを特徴とする商品販売装置である。
【００１８】
また、本発明の一態様は、ユーザの端末装置と商品販売装置とを有する商品販売システムに用いられる商品販売方法であって、前記商品販売装置は、店舗を特定する店舗特定情報と前記店舗の位置を示す店舗位置情報とを関連付けて記憶する店舗情報記憶部と、商品検索用のデータであるマッチング用情報と商品を特定する商品特定情報とを関連付けて記憶するとともに、前記商品特定情報と商品の価格とを関連付けて記憶する商品情報記憶部とを備えており、前記ユーザの端末装置において、撮影部が、商品に関する被写体を撮影し、撮影画像を生成する撮影過程と、位置情報取得部が、撮影時の当該ユーザの端末装置の位置を示す撮影位置情報を取得する位置情報取得過程と、処理部が、前記撮影過程において生成された前記撮影画像または当該撮影画像に基づいて得られたデータである撮影情報と前記位置情報取得過程において取得した前記撮影位置情報とを前記商品販売装置に送信する送信過程と、前記商品販売装置において、受信部が、前記ユーザの端末装置から前記撮影情報と前記撮影位置情報とを受信する受信過程と、検索部が、前記商品情報記憶部に記憶されている前記マッチング用情報の中から、前記受信過程において受信した前記撮影情報に対応するマッチング用情報を特定し、特定した前記マッチング用情報に関連付けられた前記商品特定情報を前記商品情報記憶部から読み出す検索過程と、決済部が、前記検索過程において読み出された前記商品特定情報と関連付けて前記商品情報記憶部に記憶されている前記価格に基づいて請求金額を算出し、ユーザに対する決済処理を行う決済過程と、レベニューシェア計算部が、前記店舗情報記憶部に記憶されている前記店舗位置情報の中から、前記受信過程において受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済過程において算出した前記請求金額に基づいて計算するレベニューシェア計算過程と、を有することを特徴とする商品販売方法である。
【００１９】
また、本発明の一態様は、商品販売装置に用いられる商品販売方法であって、前記商品販売装置は、店舗を特定する店舗特定情報と前記店舗の位置を示す店舗位置情報とを関連付けて記憶する店舗情報記憶部と、商品検索用のデータであるマッチング用情報と商品を特定する商品特定情報とを関連付けて記憶するとともに、前記商品特定情報と商品の価格とを関連付けて記憶する商品情報記憶部を備えており、前記商品販売装置において、受信部が、ユーザの端末装置から商品に関する被写体の撮影画像または当該撮影画像に基づいて得られたデータである撮影情報と撮影時の当該ユーザの端末装置の位置を示す撮影位置情報とを受信する受信過程と、検索部が、前記商品情報記憶部に記憶されている前記マッチング用情報の中から、前記受信過程において受信した前記撮影情報に対応するマッチング用情報を特定し、特定した前記マッチング用情報に関連付けられた前記商品特定情報を前記商品情報記憶部から読み出す検索過程と、決済部が、前記検索過程において読み出された前記商品特定情報と関連付けて前記商品情報記憶部に記憶されている前記価格に基づいて請求金額を算出し、ユーザに対する決済処理を行う決済過程と、レベニューシェア計算部が、前記店舗情報記憶部に記憶されている前記店舗位置情報の中から、前記受信過程において受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済過程において算出した前記請求金額に基づいて計算するレベニューシェア計算過程と、を有することを特徴とする商品販売方法である。
【発明の効果】
【００２０】
本発明によれば、ユーザが店舗において商品をみながら購入対象を選び、商品購入はオンラインショッピングで行った場合でも、店舗にも利益をもたらすことができる。
【図面の簡単な説明】
【００２１】
【図１】本発明の一実施形態による商品販売システムの構成図である。
【図２】同実施形態による商品販売装置の店舗情報記憶部に記憶される店舗管理情報のデータ構成例を示す図である。
【図３】同実施形態による商品販売装置の店舗情報記憶部に記憶されるレベニューシェア情報のデータ構成例を示す図である。
【図４】同実施形態による商品販売装置の商品情報記憶部に記憶される商品検索用情報のデータ構成例を示す図である。
【図５】同実施形態による商品販売装置の商品情報記憶部に記憶される商品管理情報のデータ構成例を示す図である。
【図６】同実施形態による商品販売装置のユーザ情報記憶部に記憶されるユーザ管理情報のデータ構成例を示す図である。
【図７】同実施形態による商品販売システムのシーケンス図である。
【発明を実施するための形態】
【００２２】
以下、本発明の一実施形態について図面を参照して詳細に説明する。
図１は、本発明の一実施形態による商品販売システムの構成図であり、本実施形態と関係する機能ブロックのみ抽出して示してある。同図に示すように、商品販売システムは、商品販売装置１とユーザ端末装置３とをネットワーク９により接続して構成される。同図においてはユーザ端末装置３を１台のみ示しているが、現実には複数台が備えられる。ネットワーク９は、例えば、インターネット網である。
【００２３】
商品販売システムが適用されるシーンの一例を説明する。ユーザは、実際の商品を販売している店舗に赴き、店舗に陳列されている商品を見ながら購入対象を決めると、商品をユーザ端末装置３により撮影する。ユーザ端末装置３は、オンラインショッピングサイトの運営者が保有する商品販売装置１へ撮影画像を送信する。商品販売装置１は、ユーザ端末装置３から受信した撮影画像に基づいて商品を特定し、特定した商品をオンラインで購入するための商品購入ページを配信する。ユーザが商品を購入した場合、商品販売装置１は、ユーザ端末装置３が画像を撮影したときの位置から店舗を特定し、特定した店舗に対して還元するレベニューシェアを商品販売額に基づいて算出する。オンラインショッピングサイトの運営者は、レベニューシェアを店舗に支払う。
【００２４】
続いて、商品販売装置1及びユーザ端末装置３の構成について説明する。
商品販売装置１は、例えば、１台または複数台のコンピュータサーバにより実現される。商品販売装置１が複数のコンピュータサーバにより実現される場合、それらのコンピュータサーバを異なるサイトに設置してもよい。同図に示すように、商品販売装置１は、記憶部１１、通信部１２、及び販売処理部１３を備えて構成される。
【００２５】
記憶部１１は、各種情報を記憶し、店舗情報記憶部１１１、商品情報記憶部１１２、及びユーザ情報記憶部１１３を備えて構成される。
店舗情報記憶部１１１は、店舗管理情報とレベニューシェア情報を記憶する。店舗管理情報は、商品を販売している店舗を一意に特定する識別情報である店舗ＩＤと、当該店舗の位置を示す店舗位置情報とを関連付けたデータである。レベニューシェア情報は、店舗ＩＤと、当該店舗ＩＤの店舗へ還元するレベニューシェアと、レベニューシェアが発生した日時とを関連付けたデータである。
【００２６】
商品情報記憶部１１２は、商品検索用情報と商品管理情報を記憶する。商品検索用情報は、商品検索用のデータであるマッチング用情報と、オンラインショッピングサイトで販売する商品を一意に特定する識別情報である商品ＩＤとを関連付けたデータである。マッチング用情報には、商品ＩＤにより特定される商品に関する画像データを用いることができる。商品管理情報は、商品ＩＤと、当該商品ＩＤにより特定される商品の商品情報及び価格とを関連付けたデータである。商品情報は、商品についてユーザに提供する情報や商品の属性など、商品に関する任意の情報を示す。
【００２７】
ユーザ情報記憶部１１３は、ユーザ管理情報を記憶する。ユーザ管理情報は、ユーザを一意に特定する識別情報であるユーザＩＤと、当該ユーザＩＤにより特定されるユーザの個人情報や当該ユーザに付与された特典とを関連付けたデータである。
【００２８】
通信部１２は、ネットワーク９を介してユーザ端末装置３とデータを送受信する。
販売処理部１３は、受信部１３１、検索部１３２、商品情報通知部１３３、購入要求受信部１３４、決済部１３５、ユーザ特典付与部１３６、配信部１３７、及びレベニューシェア計算部１３８を備えて構成される。
受信部１３１は、ユーザ端末装置３から撮影情報と撮影位置情報を受信する。撮影情報は、店舗においてユーザ端末装置３により撮影された商品に関する被写体の撮影画像データである。検索部１３２は、商品情報記憶部１１２に記憶されている商品検索用情報を参照し、マッチング用情報の中から、受信部１３１が受信した撮影情報に対応するマッチング用情報を特定し、特定したマッチング用情報に関連付けられた商品ＩＤを読み出す。商品情報通知部１３３は、商品情報記憶部１１２に記憶されている商品管理情報から、検索部１３２により読み出された商品ＩＤに関連付けられた商品情報を読み出し、ユーザ端末装置３へ送信する。
【００２９】
購入要求受信部１３４は、商品情報通知部１３３が通知した商品情報に対応してユーザ端末装置３から購入要求を受信する。決済部１３５は、商品情報記憶部１１２に記憶されている商品管理情報に、購入要求により示される購入対象の商品の商品ＩＤと関連付けて登録されている価格に基づき請求金額を算出し、ユーザに対する決済処理を行う。ユーザ特典付与部１３６は、商品を購入したユーザに特典を付与し、ユーザ情報記憶部１１３に記憶されているユーザ管理情報にユーザＩＤと関連付けて書き込む。配信部１３７は、オンラインショッピングサイトで販売する商品が電子コンテンツである場合、ユーザが購入した電子コンテンツのコンテンツデータをユーザ端末装置３に配信する。レベニューシェア計算部１３８は、店舗情報記憶部１１１に記憶されている店舗管理情報を参照し、受信部１３１が受信した撮影位置情報に対応する店舗位置情報を特定し、特定した店舗位置情報に関連付けられた店舗ＩＤを読み出す。レベニューシェア計算部１３８は、決済部１３５が算出した請求金額に基づいてレベニューシェアの金額を算出し、読み出した店舗ＩＤと算出したレベニューシェアの金額とを関連付けたレベニューシェア情報を店舗情報記憶部１１１に書き込む。
【００３０】
ユーザ端末装置３は、スマートホン、タブレット端末、パーソナルコンピュータなどの可搬のコンピュータ端末である。ユーザ端末装置３は、通信部３１、入力部３２、撮影部３３、位置情報取得部３４、処理部３５、表示部３６、及び記憶部３７を備えて構成される。
通信部１２は、ネットワーク９を介して商品販売装置１とデータを送受信する。入力部３２は、ユーザ操作による情報の入力を受ける。撮影部３３は、カメラであり、商品に関する被写体を撮影し、撮影画像データを生成する。位置情報取得部３４は、例えば、ＧＰＳ(Global Positioning System)であり、ユーザ端末装置３の位置を取得する。処理部３５は、各種情報を商品販売装置１に送信したり、商品販売装置１から受信した情報を表示部３６に表示させたりする。表示部３６は、画像を表示するディスプレイである。表示部３６がタッチパネルの場合、入力部３２を兼ねる。記憶部３７は、各種データを記憶する。
【００３１】
次に、商品販売装置１の記憶部１１に記憶されるデータの例を説明する。以下では、ユーザ端末装置３により撮影する商品に関する被写体は店舗に置かれている書籍の表紙であり、オンラインショッピングサイトで販売する商品は電子書籍である場合を例に説明する。
【００３２】
図２は、店舗情報記憶部１１１に記憶される店舗管理情報のデータ構成例である。店舗管理情報は、書籍を販売している店舗の店舗ＩＤ、店舗位置情報、及びシェア率を関連付けたレコードからなる。店舗位置情報には、緯度（ｘ）及び経度（ｙ）や、住所などが用いられる。店舗、または店舗の近隣においてネットワーク９へ接続するためのアクセスポイントを提供している場合、そのアクセスポイントを識別する情報を店舗位置情報として用いたり、無線通信におけるセルを識別する情報を店舗位置情報として用いたりしてもよい。シェア率は、売上額（ユーザへの請求額）に対するレベニューシェアの割合を示す。
【００３３】
図３は、店舗情報記憶部１１１に記憶されるレベニューシェア情報のデータ構成例である。レベニューシェア情報は、店舗ＩＤと、レベニューシェアの金額と、レベニューシェア発生の要因となった商品の販売日時とを関連付けたレコードからなる。
【００３４】
図４は、商品情報記憶部１１２に記憶される商品検索用情報のデータ構成例である。商品検索用情報は、マッチング用情報と商品ＩＤを関連付けたレコードからなる。マッチング用情報は、店舗に販売等のために置かれている商品（リアルな物品）の外観の画像データ、具体的には、書籍の表紙の画像データである。例えば、マッチング用情報は、同一の書籍の表表紙、裏表紙、背表紙を、撮影位置や明るさ、サイズなどの撮影条件を変えて撮影した複数の画像データとすることができる。このように、マッチング用情報は、店舗に置いてある商品の表、裏、横など、商品の外観の一部の画像データを用いることができる。
【００３５】
図５は、商品情報記憶部１１２に記憶される商品管理情報のデータ構成例である。商品管理情報は、商品ＩＤと、商品情報及び価格と、コンテンツとを関連付けたレコードからなる。商品ＩＤには、例えば、書籍のＩＳＢＮ（International Standard Book Number）を用いることができる。また、商品情報には、書籍のタイトル、書籍が属するシリーズ、著者、発行年月日、ジャンル、あらすじ、紹介文などの情報が含まれる。コンテンツは、電子書籍、あるいは、電子書籍の格納場所を示すデータである。
【００３６】
図６は、ユーザ情報記憶部１１３に記憶されるユーザ管理情報のデータ構成例である。ユーザ管理情報は、ユーザＩＤと、ユーザの氏名や住所などの個人情報を示すユーザ情報と、ユーザに付与された特典とを関連付けたレコードからなる。特典は、例えば、商品やサービスに引換可能なポイント、割引券の贈呈や、商品や割引券が当たる抽選への参加資格など任意とすることができる。
【００３７】
図７は、商品販売システムのシーケンス図である。同図を用いて商品販売システムの動作を説明する。まず、商品販売装置１の店舗情報記憶部１１１に店舗管理情報を、商品情報記憶部１１２に商品検索用情報、及び商品管理情報を登録しておく。また、ユーザ情報記憶部１１３には、ユーザＩＤ及びユーザ情報が設定されたユーザ管理情報が登録されている。
【００３８】
ユーザは、書店に赴き、実物の書籍を見ながら電子書籍として購入する書籍を決めると、その書籍の表紙を撮影するために、ユーザ端末装置３の入力部３２により撮影指示を入力する。これにより、撮影部３３は、書籍の表紙（表表紙、裏表紙、または背表紙）を撮影した画像をデータ化した撮影画像データを生成する(ステップＳ１０５）。位置情報取得部３４は、撮影部３３が書籍の表紙を撮影したときのユーザ端末装置３の位置の情報を取得し、撮影位置情報とする。位置情報取得部３４がＧＰＳであれば、緯度及び経度を示す撮影位置情報を取得する。あるいは、位置情報取得部３４は、無線の接続先であるアクセスポイントの識別情報や、在圏する無線セルのＩＤを通信部３１から取得し、撮影位置情報としてもよい。処理部３５は、撮影部３３が生成した撮影画像データである撮影情報と、位置情報取得部３４が取得した撮影位置情報を設定した商品問合せを通信部３１に出力し、商品販売装置１に送信するよう指示する。通信部３１は、商品問合せを、ネットワーク９を介して商品販売装置１へ送信する(ステップＳ１１０）。
【００３９】
商品販売装置１の通信部１２は、受信した商品問合せを販売処理部１３に出力する。販売処理部１３の受信部１３１は、商品問合せから撮影情報及び撮影位置情報を読み出すと、撮影情報を検索部１３２に出力し、撮影位置情報をレベニューシェア計算部１３８に出力する。検索部１３２は、商品情報記憶部１１２から商品検索用情報のマッチング用情報に設定されている画像データを読み出し、撮影情報と比較して最も類似する画像データを選択する。例えば、検索部１３２は、２つの画像データ同士が類似している度合いを定量的な値により算出する任意の従来技術を適用して、マッチング用情報として設定されている各画像データと、撮影情報（撮影画像データ）との類似度を算出し、算出した類似度が最も高い画像データを選択する。検索部１３２は、特定した画像データが含まれるマッチング用情報に関連付けられた商品ＩＤを商品検索用情報から読み出す(ステップＳ１１５）。
【００４０】
商品情報通知部１３３は、ステップＳ１１５において検索部１３２が読み出した商品ＩＤに基づいて商品情報記憶部１１２に記憶されている商品管理情報のレコードを特定し、商品情報を読み出す(ステップＳ１２０）。商品情報通知部１３３は、読み出した商品情報を通信部１２へ出力してユーザ端末装置３へ返送するよう指示し、通信部１２は、商品情報を、ネットワーク９を介してユーザ端末装置３に送信する(ステップＳ１２５）。このとき、例えば、商品情報通知部１３３は、さらに、特定した商品管理情報のレコードから価格を読み出し、読み出した商品情報及び価格を表示させるとともに、ユーザが購入情報を入力するためのボタンやフィールドを表示させるオンラインショッピングサイトの画面データを生成し、通信部１２からユーザ端末装置３へ送信させるようにしてもよい。また、ユーザ端末装置３へ送信する商品情報は、商品検索用情報から読み出した商品情報の一部でもよい。
【００４１】
ユーザ端末装置３の通信部３１は、受信した画面データを処理部３５に出力し、処理部３５は、画面データを表示部３６に表示させる。ユーザは、表示部３６が表示させた画面データによって、商品情報及び価格を閲覧して購入を決めると、入力部３２により購入情報を入力する(ステップＳ１３０）。購入情報には、ユーザＩＤ、購入対象の商品、購入数量、支払方法などの情報が含まれる。なお、ユーザＩＤが付与されていない場合、ユーザの氏名や住所などのユーザ情報をユーザＩＤに代えて入力する。また、１商品の商品情報のみが送信された場合、購入対象の商品の情報の入力については省略してもよい。ユーザが入力部３２により購入要求送信指示を入力すると、処理部３５は、ステップＳ１３０において入力された購入情報を設定した購入要求を通信部３１に出力し、通信部３１は、ネットワーク９を介して購入要求を商品販売装置１に送信する(ステップＳ１３５）。
【００４２】
商品販売装置１の購入要求受信部１３４は、通信部１２を介して購入要求を受信し、購入要求に設定されている購入情報を決済部１３５に出力するとともに、購入要求を受信した日時をレベニューシェア計算部１３８に出力する。決済部１３５は、購入情報から購入対象の商品及び購入数量の情報を読み出す。決済部１３５は、購入対象の商品の商品ＩＤと関連付けて商品管理情報に設定されている価格と、読み出した購入数量とに基づき請求金額を算出すると、ユーザに対する決済処理を行う（ステップＳ１４０）。例えば、購入情報に設定されている支払方法がクレジットカード払いとクレジットカード番号及びカード暗証番号を示す場合、決済部１３５は、クレジットカード番号及びカード暗証番号と、請求金額とをクレジットカード会社のサーバに送信する。あるいは、支払方法が振込を示す場合、決済部１３５は、印刷部（図示せず）により、請求金額の振込みに用いる振込票を印刷するとともに、振込票を郵送する封筒あるいはその封筒に貼付する宛名シールにユーザの氏名及び住所を印刷する。なお、これらの印刷はリアルタイムに行われなくてもよい。
【００４３】
続いて、ユーザ特典付与部１３６は、商品を購入したユーザに特典を付与する。例えば、特典がポイントである場合、請求金額に応じてユーザに付与するポイント数を算出する。ユーザ特典付与部１３６は、購入情報に設定されているユーザＩＤによりユーザ情報記憶部１１３に記憶されているユーザ管理情報のレコードを特定し、特典情報が示すポイント数を、算出したポイント数を加算したポイント数に更新する(ステップＳ１４５）。なお、ユーザＩＤが付与されていない場合、ユーザ特典付与部１３６は、ユーザＩＤを付与するとともに、ユーザ管理情報にレコードを追加し、付与したユーザＩＤ、購入情報に含まれるユーザ情報、付与した特典を設定する。
【００４４】
配信部１３７は、購入対象の商品の商品ＩＤにより商品情報記憶部１１２に記憶されている商品管理情報のレコードを特定し、コンテンツとして登録されている電子書籍、あるいは、コンテンツとして登録されている格納場所から電子書籍を読み出す。配信部１３７は、読み出した電子書籍を通信部１２に出力し、通信部１２は、ネットワーク９を介して、電子書籍をユーザ端末装置３に送信する（ステップＳ１５０）。ユーザ端末装置３の通信部３１は、受信した電子書籍を処理部３５に出力し、処理部３５は電子書籍を記憶部３７に書き込む。
【００４５】
レベニューシェア計算部１３８は、店舗情報記憶部１１１が記憶している店舗管理情報から店舗位置情報を読み出し、ステップＳ１１５において受信部１３１から入力された撮影位置情報に対応する店舗位置情報を特定する。例えば、レベニューシェア計算部１３８は、店舗位置情報が撮影位置情報と同一であれば、対応する店舗位置情報であると判断する。あるいは、店舗位置情報が示す緯度及び経度と、店舗位置情報が示す緯度及び経度の差分が所定以内であれば、対応する店舗位置情報と判断するようにしてもよい。また、店舗位置情報が住所で示される場合、レベニューシェア計算部１３８は、撮影位置情報が示す緯度及び経度を住所に変換し、変換した住所と一致する場合に対応する店舗位置情報と判断してもよい。レベニューシェア計算部１３８は、撮影位置情報に対応する店舗位置情報が設定されている店舗管理情報のレコードから店舗ＩＤ及びシェア率を読み出す。レベニューシェア計算部１３８は、ステップＳ１４０において決済部１３５が算出した購入金額に、読み出したシェア率を乗算してレベニューシェアの金額（店舗への支払金額）を計算する(ステップＳ１５５）。レベニューシェア計算部１３８は、店舗情報記憶部１１１に記憶されているレベニューシェア情報に新たなレコードを追加し、店舗ＩＤ、計算したレベニューシェアの金額、及び、販売日時を登録する。販売日時は、購入要求受信部１３４から入力された購入要求の受信日時であるが、例えば、クレジットカード払いの場合などは、決済部１３５による決済処理が完了した日時とすることもできる。
【００４６】
レベニューシェア計算部１３８は、１か月に１回、１週間に１回などの所定の期間毎にレベニューシェア集計処理を行う。レベニューシェア計算部１３８は、店舗情報記憶部１１１に記憶されているレベニューシェア情報を参照し、前回レベニューシェア集計処理を行った日時以降が販売日時のレコードを特定する。レベニューシェア計算部１３８は、特定したレコードから店舗ＩＤ及び金額の組を読み出し、店舗ＩＤ毎に金額を合計する。レベニューシェア計算部１３８は、レベニューシェア集計処理を行った日時と、店舗ＩＤ及びレベニューシェアの合計金額の組とを示すレベニューシェア集計情報を店舗情報記憶部１１１に書き込む。オンラインショッピングサイトの運営者は、店舗情報記憶部１１１に記憶されているレベニューシェア集計情報に基づいて、各店舗にレベニューシェアの合計金額を支払う。あるいは、レベニューシェア計算部１３８は、銀行の口座管理サーバにアクセスし、オンラインショッピングサイトの運営者の銀行口座から、店舗ＩＤと関連付けて予め店舗情報記憶部１１１に記憶されている振込口座に、その店舗ＩＤに関連付けられたレベニューシェアの合計金額を振込む振込処理を行うようにしてもよい。
【００４７】
なお、上記においては、ユーザ端末装置３の撮影部３３は、商品に関する被写体として、実物の書籍の表紙を撮影しているが、ポスターや冊子などの印刷物に印刷された書籍の表紙を撮影してもよい。例えば、複数の書籍の表紙が並んだ本棚のポスターを店舗内に貼っておき、ユーザは、そのポスターに印刷されている書籍の表紙をユーザ端末装置３により撮影する。
【００４８】
また、上記実施形態では、商品販売装置１の商品情報通知部１３３は、ステップＳ１１５において検索部１３２が読み出した商品ＩＤに関連付けられた商品情報（以下、「特定商品情報」と記載する。）及び価格を商品管理情報から読み出してユーザ端末装置３に送信しているが、特定商品情報に関連した他の商品情報（以下、「関連商品情報」と記載する。）とその関連商品情報に対応する価格とをさらに読み出し、ユーザ端末装置３に送信してもよい。例えば、商品情報通知部１３３は、特定商品情報と同じシリーズ、同じ作者、同じジャンルなどが設定されている他の商品情報を関連商品情報として特定し、特定した関連商品情報に対応する価格を読み出す。ユーザ端末装置３の表示部３６は、商品販売装置１から受信した特定商品情報及び関連商品情報と、それら特定商品情報及び関連商品情報のそれぞれに対応した商品の価格とを表示する。ユーザは、表示部３６の表示により、撮影した書籍の商品情報（特定商品情報）及び価格と、その書籍に関連する他の書籍の商品情報（関連商品情報）及び価格を閲覧し、購入対象の書籍を決める。ユーザは、購入対象の１以上の書籍と、購入対象の各書籍の購入数量とを含んだ購入情報を入力部３２により入力する。
【００４９】
これにより、例えば、ユーザがユーザ端末装置３により、上下巻からなる小説の上巻の表紙を撮影した場合でも、その小説の上巻だけではなく下巻も同時に購入することができる。あるいは、商品販売装置１は、ユーザが表紙を撮影した書籍と同じ著者の他の書籍の商品情報を併せてユーザに提供することができる。また、あるいは、ユーザが和食のレシピ本の表紙を撮影した場合、商品販売装置１は、そのレシピ本と同じく商品情報のジャンルに和食・料理が設定されている他の和食のレシピ本を併せてユーザに提示することができる。
【００５０】
なお、商品販売装置１の商品情報通知部１３３は、特定商品情報及び関連商品情報の中から所定の条件に合致するとして選択した商品情報とその商品情報に対応する価格のみをユーザ端末装置３へ送信してもよい。このとき、特定商品情報については条件に合致するか否かにかかわらず必ずユーザ端末装置３へ送信してもよく、条件に合致しなければ送信しないようにしてもよい。
【００５１】
例えば、商品管理情報に、週刊誌の各号に対応したレコードを登録しておき、それらの商品情報には同一のシリーズを登録しておく。ユーザは、週刊誌の表紙をユーザ端末装置３により撮影し、その撮影画像データを商品問合せにより商品販売装置１に送信する。この場合、ステップＳ１１５においては、撮影された週刊誌の電子書籍の商品ＩＤが商品販売装置１の検索部１３２により読み出される。ステップＳ１２０において、商品情報通知部１３３は、検索部１３２が読み出した商品ＩＤに関連付けられている特定商品情報と、特定商品情報と同じシリーズが設定されている他の商品情報である関連商品情報を読み出す。これにより、撮影対象となった週刊誌の商品情報と、撮影対象となった週刊誌の他の号数の商品情報が読み出される。商品情報通知部１３３は、これらの特定商品情報及び関連商品情報の中から、例えば、発行年月日が過去３か月まで商品情報を選択する。これにより、あまり古い号数の週刊誌については、商品情報をユーザに提示しないようにすることができる。あるいは、商品情報通知部１３３は、これらの特定商品情報及び関連商品情報の中から、発行年月日が最新の商品情報のみを選択するようにしてもよい。これにより、過去の号数の週刊誌を撮影した場合でも、最新号の週刊誌の商品情報のみをユーザに提示し、購入処理に誘導することができる。
また、商品情報記憶部１１２に商品の販売数を記憶しておき、関連商品情報に対応した商品の販売数が所定よりも多いこと（例えば、所定の販売数以上、販売数のランキングが所定順位以上など）を条件として関連商品情報を選択してもよい。これにより、他のユーザにも人気が高く、電子書籍の購入を考えているユーザも興味を持つ可能性がある他の電子書籍を紹介することができる。
【００５２】
また、上記においては、ユーザ端末装置３の撮影部３３により撮影する対象（商品に関する被写体）を書籍の表紙のように商品の外観の一部としているが、例えば、ランドマーク、キャラクター、風景、出版社や書店のロゴなどなど、書籍以外のオブジェクトとすることができる。この場合、マッチング用情報をオブジェクトの画像データとし、商品検索用情報には、マッチング用情報に対応付けて、オブジェクトに関係する書籍の商品ＩＤを１以上登録しておく。
【００５３】
例えば、ステップＳ１１０において、ユーザ端末装置３は、雷門を撮影した撮影画像データを商品問合せにより商品販売装置１に送信する。商品検索用情報には、時刻、季節、気象条件、撮影位置などが異なった撮影条件により撮影した雷門の画像データを設定したマッチング用情報と、そのマッチング用情報に関連付けて、雷門や浅草に関連した複数の書籍の商品ＩＤを登録しておく。これにより、ステップＳ１１５において、商品販売装置１の検索部１３２は、雷門を撮影した複数の画像データのうちいずれかを、撮影画像データに最も類似する画像データとして特定し、特定した画像データが含まれるマッチング用情報に関連付けられた全ての商品ＩＤを商品検索用情報から読み出す。そして、ステップＳ１２０、ステップＳ１２５において、商品情報通知部１３３は、検索部１３２が読み出した商品ＩＤそれぞれに対応した商品情報及び価格を商品管理情報から読み出してユーザ端末装置３へ配信する。ステップＳ１３０において、ユーザは、ユーザ端末装置３の表示部３６に表示された雷門や浅草に関連した複数の書籍の商品管理情報及び価格を参照し、購入対象の１以上の書籍と各書籍の購入数量とを含んだ購入情報を入力部３２により入力する。
これにより、ユーザに、撮影したオブジェクトに関連する電子書籍の商品情報を提供することができる。
【００５４】
また、例えば、ステップＳ１１０において、ユーザ端末装置３は、店内に掲示されている書店のロゴを撮影した撮影画像データを商品問合せにより商品販売装置１に送信する。商品検索用情報には、書店のロゴの画像データを設定したマッチング用情報に対応付けて、書店がお勧めする１以上の電子書籍の商品ＩＤを登録しておく。これにより、ステップＳ１１５において、商品販売装置１の検索部１３２は、書店のロゴの画像データに関連付けられた全ての商品ＩＤを商品検索用情報から読み出す。ステップＳ１２０、ステップＳ１２５において、商品販売装置１の商品情報通知部１３３は、検索部１３２が読み出した商品ＩＤそれぞれに対応した商品情報及び価格を商品管理情報から読み出してユーザ端末装置３へ配信する。
これにより、ユーザに、書店がお勧めする電子書籍の商品情報を提供することができる。
【００５５】
なお、上記実施形態では、オンラインショッピングサイトにおいて販売する商品、すなわち、商品販売システムにおいて販売する商品が電子書籍である場合について説明したが、音楽データ、動画データ、ゲーム等のアプリケーションプログラムなどの任意の電子コンテンツとすることができる。また、商品販売システムにおいて販売する商品は、電子コンテンツに限らず、実際の書籍やＤＶＤ（Digital Versatile Disk）、ＣＤ（Compact Disc）、ゲーム、食料品、日用品等などのリアルな物品であってもよい。この場合、例えば、ユーザは、店舗において、購入対象の商品の外観の全体または一部をユーザ端末装置３により撮影する。また、ユーザは購入情報として配送先を入力する。商品販売装置１は配信部１３７を備えなくともよい。決済部１３５は、商品を購入したユーザのユーザＩＤ、氏名、住所、購入情報が示す商品とその購入数量、配送先を対応付けた受注情報を印刷部（図示せず）により印刷するか、ユーザ情報記憶部１１３に書き込む。オンラインショッピングサイトの担当者は、受注情報に基づいて、ユーザが購入した商品を梱包し、ユーザの住所宛てまたは配送先住所宛てに発送する。
【００５６】
また、商品販売システムで販売する商品がリアルな物品である場合や販売数量を限定した電子コンテンツである場合、商品販売装置１の商品情報記憶部１１２に各商品の在庫情報をさらに記憶しておき、在庫情報が在庫なしを示す商品については、商品情報をユーザ端末装置３に送信しないようにしてもよく、商品情報に在庫なしを示す情報を付加してユーザ端末装置３に送信してもよい。
ステップＳ１２０において、商品情報通知部１３３は、ユーザ端末装置３へ配信する商品情報（特定商品情報、関連商品情報）を上述した実施形態のように選択すると、商品情報記憶部１１２に記憶されている在庫情報を参照し、選択した商品情報の商品が在庫なしを示すか否かを判断する。商品情報通知部１３３は、在庫なしを示す商品の商品情報についてはユーザ端末装置３に送信せず、残りの選択した商品情報を送信するか、在庫なしの商品の商品情報には在庫なしを示す情報を付加してユーザ端末装置３に送信する。ユーザ端末装置３の処理部３５は、商品販売装置１から受信した商品情報及び価格と、商品情報に付加された在庫なしの情報を表示部３６に表示させる。
なお、決済部１３５は、決済処理が終了した場合、ユーザが購入した商品の在庫の情報を、現在の在庫数量から購入数量を減算した数量に更新する。
【００５７】
また、ユーザ端末装置３により撮影する商品に関する被写体を、店舗で販売している商品や商品のタグに印刷または貼付されているバーコードや二次元バーコード、商品を特定する文字情報としてもよい。この場合、マッチング用情報を、バーコードや二次元バーコード、商品を特定する文字情報の画像データとしてもよく、バーコードや二次元バーコードを変換した文字情報、商品を特定する文字情報としてもよい。ユーザ端末装置３の処理部３５は、撮影部３３が生成した撮影画像データを撮影情報として商品販売装置１に送信し、商品販売装置１の検索部１３２は、撮影情報が示す撮影画像データを文字情報に変換し、合致するマッチング用情報を特定する。あるいは、ユーザ端末装置３の処理部３５は、撮影部３３が生成した撮影画像データを文字情報に変換し、変換した文字情報を撮影情報として商品販売装置１に送信する。商品販売装置１の検索部１３２は、撮影情報が示す文字情報と合致するマッチング用情報を特定する。このように、撮影画像データに基づいて得られるデータを撮影情報として用いてもよい。
【００５８】
なお、商品販売装置１の検索部１３２、レベニューシェア計算部１３８の全てまたは一部の機能を、ユーザ端末装置３の処理部３５が実行するようにしてもよい。
検索部１３２の機能を実行する場合、ユーザ端末装置３の処理部３５は、商品販売装置１の商品情報記憶部１１２に記憶されている検索用情報を参照して検索部１３２と同様の処理を行ってもよく、例えば、ユーザが企業などであれば、その企業が保有するデータベースサーバに記憶されている検索用情報を参照してもよい。
また、レベニューシェア計算部１３８の機能を実行する場合、ユーザ端末装置３の処理部３５は、商品販売装置１の決済部１３５から請求金額の通知を受け、通知された請求金額に基づいてレベニューシェアの金額を算出し、店舗ＩＤとともに商品販売装置１に通知して店舗情報記憶部１１１に書き込む。あるいは、処理部３５は、レベニューシェアの金額を、企業が保有するデータベースサーバに店舗ＩＤと対応付けて書き込んでおく。処理部３５は、所定期間毎に店舗ＩＤ別にレベニューシェアの金額を合計して商品販売装置１に通知してもよく、オンラインショッピングサイトの運営者に郵送するために印刷してもよい。なお、店舗ＩＤは、上記と同様に、商品販売装置１のレベニューシェア計算部１３８が撮影位置情報に基づいて特定し、ユーザ端末装置３に通知してもよく、ユーザ端末装置３の処理部３５が特定してもよい。処理部３５が店舗ＩＤを特定するときに参照する店舗管理情報は、商品販売装置１の商品情報記憶部１１２に記憶されていてもよく、企業が保有するデータベースサーバやユーザ端末装置３の記憶部３７に記憶されていてもよい。
【００５９】
上記実施形態によれば、ユーザは、店舗において実際の商品を見ながらオンラインショッピングにより購入する対象を選び、簡易な操作によって購入処理を行うことができる。また、異なる店舗において商品に関する被写体を撮影し、オンラインショッピングにより商品を購入した場合でもポイントが引き継がれるため、オンラインショッピング利用の動機付けとなる。そして、ユーザが店舗で商品を見ることによって、オンラインショッピングでの購入に至った場合、その売上げに応じて店舗にも利益が還元される。加えて、ユーザに店舗へ足を運んでもらうきっかけを作ることができるため、店舗の集客力が上がり、店舗における売上の向上にもつながる。このため、オンラインショッピングの運営者は、店舗にプロモーションに協力してもらいやすくなり、より多くのユーザにオンラインショッピングを利用してもらうことができる。
【００６０】
上述した実施形態における商品販売装置１の販売処理部１３及びユーザ端末装置３の位置情報取得部３４及び処理部３５の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６１】
以上、この発明の実施形態について図面を参照して詳述してきたが、具体的な構成はこの実施形態に限られるものではなく、この発明の要旨を逸脱しない範囲の設計等も含まれる。
【符号の説明】
【００６２】
１  商品販売装置
１１  記憶部
１１１  店舗情報記憶部
１１２  商品情報記憶部
１１３  ユーザ情報記憶部
１２  通信部
１３  販売処理部
１３１  受信部
１３２  検索部
１３３  商品情報通知部
１３４  購入要求受信部
１３５  決済部
１３６  ユーザ特典付与部
１３７  配信部
１３８  レベニューシェア計算部
３  ユーザ端末装置
３１  通信部
３２  入力部
３３  撮影部
３４  位置情報取得部
３５  処理部
３６  表示部
３７  記憶部
【図１】
2015038676.tif 000003
【図２】
2015038676.tif 000004
【図３】
2015038676.tif 000005
【図４】
2015038676.tif 000006
【図５】
2015038676.tif 000007
【図６】
2015038676.tif 000008
【図７】
2015038676.tif 000009
【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
ユーザの端末装置と商品販売装置とを有する商品販売システムであって、
前記ユーザの端末装置は、
前記商品販売装置による販売対象の商品以外のオブジェクトを撮影し、撮影画像を生成する撮影部と、
撮影時の当該ユーザの端末装置の位置を示す撮影位置情報を取得する位置情報取得部と、
前記撮影部が生成した前記撮影画像または当該撮影画像に基づいて得られたデータである撮影情報と前記位置情報取得部が取得した前記撮影位置情報とを前記商品販売装置に送信する処理部と、
を備え、
前記商品販売装置は、
店舗を特定する店舗特定情報と前記店舗の位置を示す店舗位置情報とを関連付けて記憶する店舗情報記憶部と、
オブジェクトの特徴を表すマッチング用情報と商品を特定する商品特定情報とを関連付けて記憶するとともに、前記商品特定情報と商品の価格とを関連付けて記憶する商品情報記憶部と、
前記ユーザの端末装置から前記撮影情報と前記撮影位置情報とを受信する受信部と、
前記商品情報記憶部に記憶されている前記マッチング用情報の中から、前記受信部が受信した前記撮影情報に対応するマッチング用情報を特定し、特定した前記マッチング用情報に関連付けられた前記商品特定情報を前記商品情報記憶部から読み出す検索部と、
前記検索部により読み出された前記商品特定情報と関連付けて前記商品情報記憶部に記憶されている前記価格に基づいて請求金額を算出し、ユーザに対する決済処理を行う決済部と、
前記店舗情報記憶部に記憶されている前記店舗位置情報の中から、前記受信部が受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済部が算出した前記請求金額に基づいて計算するレベニューシェア計算部と、
を備える、
ことを特徴とする商品販売システム。
【請求項２】
前記商品情報記憶部は、前記商品に関する情報を示す商品情報を前記商品特定情報に関連付けてさらに記憶しており、
前記ユーザの端末装置は、
前記商品販売装置から受信した前記商品情報を表示する表示部をさらに備え、
前記商品販売装置は、
前記検索部により読み出された前記商品特定情報と関連付けて前記商品情報記憶部に記憶されている前記商品情報を読み出して前記ユーザの端末装置へ送信する商品情報通知部と、
前記商品情報通知部が通知した前記商品情報に対応して前記ユーザの端末装置から購入要求を受信する購入要求受信部とをさらに備え、
前記処理部は、ユーザの入力に従って購入要求を商品販売装置に送信し、
前記決済部は、前記購入要求受信部が前記購入要求を受信した場合に、前記検索部により読み出された前記商品特定情報と関連付けて前記商品情報記憶部に記憶されている前記価格に基づいて請求金額を算出し、ユーザに対する決済処理を行う、
ことを特徴とする請求項１に記載の商品販売システム。
【請求項３】
前記商品情報通知部は、前記検索部により読み出された前記商品特定情報と関連付けて前記商品情報記憶部に記憶されている前記商品情報と、当該商品情報に基づいて関連すると判断された他の前記商品情報とを前記ユーザの端末装置に配信し、
前記購入要求受信部は、前記商品情報通知部が通知した前記商品情報及び他の前記商品情報のそれぞれに対応した商品の中からユーザが選択した商品に対する購入要求を前記ユーザの端末装置から受信し、
前記決済部は、前記購入要求受信部が受信した前記購入要求が示す商品の前記商品特定情報と関連付けて前記商品情報記憶部に記憶されている前記価格に基づいて請求金額を算出し、ユーザに対する決済処理を行う、
ことを特徴とする請求項２に記載の商品販売システム。
【請求項４】
前記商品情報通知部は、前記検索部により読み出された前記商品特定情報と関連付けて前記商品情報記憶部に記憶されている前記商品情報と、当該商品情報に基づいて関連すると判断された他の前記商品情報と中から、所定の条件に合致する商品情報を選択して前記ユーザの端末装置に配信する、
ことを特徴とする請求項３に記載の商品販売システム。
【請求項５】
前記商品情報記憶部は、前記商品の在庫情報をさらに記憶しており、
前記商品情報通知部は、前記ユーザの端末装置へ配信する前記商品情報に対応した商品について前記商品情報記憶部が記憶している前記在庫情報が在庫なしを示す場合、在庫なしの前記商品情報を前記ユーザの端末装置へ配信しない、あるいは、在庫なしであることを示す情報を付加して前記ユーザの端末装置に配信する、
ことを特徴とする請求項２から請求項４のいずれか１項に記載の商品販売システム。
【請求項６】
前記撮影情報及び前記マッチング用情報は、ランドマーク、風景、キャラクター、風景、あるいは、ロゴのいずれかの画像である、
ことを特徴とする請求項１から請求項５のいずれか１項に記載の商品販売システム。
【請求項７】
前記商品特定情報により特定される前記商品は、電子コンテンツであり、
前記商品販売装置は、
前記決済部における決済処理に用いられた前記商品特定情報により特定される電子コンテンツを前記ユーザの端末装置に配信する配信部をさらに備える、
ことを特徴とする請求項１から請求項６のいずれか１項に記載の商品販売システム。
【請求項８】
前記電子コンテンツは、電子書籍である、
ことを特徴とする請求項７に記載の商品販売システム。
【請求項９】
前記商品特定情報により特定される前記商品は、物品である、
ことを特徴とする請求項１から請求項６のいずれか１項に記載の商品販売システム。
【請求項１０】
前記商品販売装置は、
前記決済部における決済処理の対象となった前記ユーザに特典を付与するユーザ特典付与部をさらに備える、
ことを特徴とする請求項１から請求項９のいずれか１項に記載の商品販売システム。
【請求項１１】
前記処理部は、前記検索部及び前記レベニューシェア計算部の全てまたは一部の機能を実行する、
ことを特徴とする請求項１から請求項１０のいずれか１項に記載の商品販売システム。
【請求項１２】
店舗を特定する店舗特定情報と前記店舗の位置を示す店舗位置情報とを関連付けて記憶する店舗情報記憶部と、
オブジェクトの特徴を表すマッチング用情報と商品を特定する商品特定情報とを関連付けて記憶するとともに、前記商品特定情報と商品の価格とを関連付けて記憶する商品情報記憶部と、
ユーザの端末装置から販売対象の前記商品以外のオブジェクトの撮影画像または当該撮影画像に基づいて得られたデータである撮影情報と撮影時の当該ユーザの端末装置の位置を示す撮影位置情報とを受信する受信部と、
前記商品情報記憶部に記憶されている前記マッチング用情報の中から、前記受信部が受信した前記撮影情報に対応するマッチング用情報を特定し、特定した前記マッチング用情報に関連付けられた前記商品特定情報を前記商品情報記憶部から読み出す検索部と、
前記検索部により読み出された前記商品特定情報と関連付けて前記商品情報記憶部に記憶されている前記価格に基づいて請求金額を算出し、ユーザに対する決済処理を行う決済部と、
前記店舗情報記憶部に記憶されている前記店舗位置情報の中から、前記受信部が受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済部が算出した前記請求金額に基づいて計算するレベニューシェア計算部と、
を備えることを特徴とする商品販売装置。
【請求項１３】
ユーザの端末装置と商品販売装置とを有する商品販売システムに用いられる商品販売方法であって、
前記商品販売装置は、
店舗を特定する店舗特定情報と前記店舗の位置を示す店舗位置情報とを関連付けて記憶する店舗情報記憶部と、
オブジェクトの特徴を表すマッチング用情報と商品を特定する商品特定情報とを関連付けて記憶するとともに、前記商品特定情報と商品の価格とを関連付けて記憶する商品情報記憶部とを備えており、
前記ユーザの端末装置において、
撮影部が、前記商品販売装置による販売対象の前記商品以外のオブジェクトを撮影し、撮影画像を生成する撮影過程と、
位置情報取得部が、撮影時の当該ユーザの端末装置の位置を示す撮影位置情報を取得する位置情報取得過程と、
処理部が、前記撮影過程において生成された前記撮影画像または当該撮影画像に基づいて得られたデータである撮影情報と前記位置情報取得過程において取得した前記撮影位置情報とを前記商品販売装置に送信する送信過程と、
前記商品販売装置において、
受信部が、前記ユーザの端末装置から前記撮影情報と前記撮影位置情報とを受信する受信過程と、
検索部が、前記商品情報記憶部に記憶されている前記マッチング用情報の中から、前記受信過程において受信した前記撮影情報に対応するマッチング用情報を特定し、特定した前記マッチング用情報に関連付けられた前記商品特定情報を前記商品情報記憶部から読み出す検索過程と、
決済部が、前記検索過程において読み出された前記商品特定情報と関連付けて前記商品情報記憶部に記憶されている前記価格に基づいて請求金額を算出し、ユーザに対する決済処理を行う決済過程と、
レベニューシェア計算部が、前記店舗情報記憶部に記憶されている前記店舗位置情報の中から、前記受信過程において受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済過程において算出した前記請求金額に基づいて計算するレベニューシェア計算過程と、
を有することを特徴とする商品販売方法。
【請求項１４】
商品販売装置に用いられる商品販売方法であって、
前記商品販売装置は、
店舗を特定する店舗特定情報と前記店舗の位置を示す店舗位置情報とを関連付けて記憶する店舗情報記憶部と、
オブジェクトの特徴を表すマッチング用情報と商品を特定する商品特定情報とを関連付けて記憶するとともに、前記商品特定情報と商品の価格とを関連付けて記憶する商品情報記憶部を備えており、
前記商品販売装置において、
受信部が、ユーザの端末装置から販売対象の前記商品以外のオブジェクトの撮影画像または当該撮影画像に基づいて得られたデータである撮影情報と撮影時の当該ユーザの端末装置の位置を示す撮影位置情報とを受信する受信過程と、
検索部が、前記商品情報記憶部に記憶されている前記マッチング用情報の中から、前記受信過程において受信した前記撮影情報に対応するマッチング用情報を特定し、特定した前記マッチング用情報に関連付けられた前記商品特定情報を前記商品情報記憶部から読み出す検索過程と、
決済部が、前記検索過程において読み出された前記商品特定情報と関連付けて前記商品情報記憶部に記憶されている前記価格に基づいて請求金額を算出し、ユーザに対する決済処理を行う決済過程と、
レベニューシェア計算部が、前記店舗情報記憶部に記憶されている前記店舗位置情報の中から、前記受信過程において受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済過程において算出した前記請求金額に基づいて計算するレベニューシェア計算過程と、
を有することを特徴とする商品販売方法。
【手続補正２】
【補正対象書類名】明細書
【補正対象項目名】０００６
【補正方法】変更
【補正の内容】
【０００６】
上記目的を達成するために、本発明の一態様は、ユーザの端末装置と商品販売装置とを有する商品販売システムであって、前記ユーザの端末装置は、前記商品販売装置による販売対象の商品以外のオブジェクトを撮影し、撮影画像を生成する撮影部と、撮影時の当該ユーザの端末装置の位置を示す撮影位置情報を取得する位置情報取得部と、前記撮影部が生成した前記撮影画像または当該撮影画像に基づいて得られたデータである撮影情報と前記位置情報取得部が取得した前記撮影位置情報とを前記商品販売装置に送信する処理部と、を備え、前記商品販売装置は、店舗を特定する店舗特定情報と前記店舗の位置を示す店舗位置情報とを関連付けて記憶する店舗情報記憶部と、オブジェクトの特徴を表すマッチング用情報と商品を特定する商品特定情報とを関連付けて記憶するとともに、前記商品特定情報と商品の価格とを関連付けて記憶する商品情報記憶部と、前記ユーザの端末装置から前記撮影情報と前記撮影位置情報とを受信する受信部と、前記商品情報記憶部に記憶されている前記マッチング用情報の中から、前記受信部が受信した前記撮影情報に対応するマッチング用情報を特定し、特定した前記マッチング用情報に関連付けられた前記商品特定情報を前記商品情報記憶部から読み出す検索部と、前記検索部により読み出された前記商品特定情報と関連付けて前記商品情報記憶部に記憶されている前記価格に基づいて請求金額を算出し、ユーザに対する決済処理を行う決済部と、前記店舗情報記憶部に記憶されている前記店舗位置情報の中から、前記受信部が受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済部が算出した前記請求金額に基づいて計算するレベニューシェア計算部と、を備える、ことを特徴とする商品販売システムである。
【手続補正３】
【補正対象書類名】明細書
【補正対象項目名】００１１
【補正方法】変更
【補正の内容】
【００１１】
また、本発明の一態様は、上述する商品販売システムであって、前記撮影情報及び前記マッチング用情報は、ランドマーク、風景、キャラクター、風景、あるいは、ロゴのいずれかの画像である、ことを特徴とする。
【手続補正４】
【補正対象書類名】明細書
【補正対象項目名】００１３
【補正方法】変更
【補正の内容】
【００１３】
また、本発明の一態様は、上述する商品販売システムであって、前記電子コンテンツは、電子書籍である、ことを特徴とする。
【手続補正５】
【補正対象書類名】明細書
【補正対象項目名】００１７
【補正方法】変更
【補正の内容】
【００１７】
また、本発明の一態様は、店舗を特定する店舗特定情報と前記店舗の位置を示す店舗位置情報とを関連付けて記憶する店舗情報記憶部と、オブジェクトの特徴を表すマッチング用情報と商品を特定する商品特定情報とを関連付けて記憶するとともに、前記商品特定情報と商品の価格とを関連付けて記憶する商品情報記憶部と、ユーザの端末装置から販売対象の前記商品以外のオブジェクトの撮影画像または当該撮影画像に基づいて得られたデータである撮影情報と撮影時の当該ユーザの端末装置の位置を示す撮影位置情報とを受信する受信部と、前記商品情報記憶部に記憶されている前記マッチング用情報の中から、前記受信部が受信した前記撮影情報に対応するマッチング用情報を特定し、特定した前記マッチング用情報に関連付けられた前記商品特定情報を前記商品情報記憶部から読み出す検索部と、前記検索部により読み出された前記商品特定情報と関連付けて前記商品情報記憶部に記憶されている前記価格に基づいて請求金額を算出し、ユーザに対する決済処理を行う決済部と、前記店舗情報記憶部に記憶されている前記店舗位置情報の中から、前記受信部が受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済部が算出した前記請求金額に基づいて計算するレベニューシェア計算部と、を備えることを特徴とする商品販売装置である。
【手続補正６】
【補正対象書類名】明細書
【補正対象項目名】００１８
【補正方法】変更
【補正の内容】
【００１８】
また、本発明の一態様は、ユーザの端末装置と商品販売装置とを有する商品販売システムに用いられる商品販売方法であって、前記商品販売装置は、店舗を特定する店舗特定情報と前記店舗の位置を示す店舗位置情報とを関連付けて記憶する店舗情報記憶部と、オブジェクトの特徴を表すマッチング用情報と商品を特定する商品特定情報とを関連付けて記憶するとともに、前記商品特定情報と商品の価格とを関連付けて記憶する商品情報記憶部とを備えており、前記ユーザの端末装置において、撮影部が、前記商品販売装置による販売対象の前記商品以外のオブジェクトを撮影し、撮影画像を生成する撮影過程と、位置情報取得部が、撮影時の当該ユーザの端末装置の位置を示す撮影位置情報を取得する位置情報取得過程と、処理部が、前記撮影過程において生成された前記撮影画像または当該撮影画像に基づいて得られたデータである撮影情報と前記位置情報取得過程において取得した前記撮影位置情報とを前記商品販売装置に送信する送信過程と、前記商品販売装置において、受信部が、前記ユーザの端末装置から前記撮影情報と前記撮影位置情報とを受信する受信過程と、検索部が、前記商品情報記憶部に記憶されている前記マッチング用情報の中から、前記受信過程において受信した前記撮影情報に対応するマッチング用情報を特定し、特定した前記マッチング用情報に関連付けられた前記商品特定情報を前記商品情報記憶部から読み出す検索過程と、決済部が、前記検索過程において読み出された前記商品特定情報と関連付けて前記商品情報記憶部に記憶されている前記価格に基づいて請求金額を算出し、ユーザに対する決済処理を行う決済過程と、レベニューシェア計算部が、前記店舗情報記憶部に記憶されている前記店舗位置情報の中から、前記受信過程において受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済過程において算出した前記請求金額に基づいて計算するレベニューシェア計算過程と、を有することを特徴とする商品販売方法である。
【手続補正７】
【補正対象書類名】明細書
【補正対象項目名】００１９
【補正方法】変更
【補正の内容】
【００１９】
また、本発明の一態様は、商品販売装置に用いられる商品販売方法であって、前記商品販売装置は、店舗を特定する店舗特定情報と前記店舗の位置を示す店舗位置情報とを関連付けて記憶する店舗情報記憶部と、オブジェクトの特徴を表すマッチング用情報と商品を特定する商品特定情報とを関連付けて記憶するとともに、前記商品特定情報と商品の価格とを関連付けて記憶する商品情報記憶部を備えており、前記商品販売装置において、受信部が、ユーザの端末装置から販売対象の前記商品以外のオブジェクトの撮影画像または当該撮影画像に基づいて得られたデータである撮影情報と撮影時の当該ユーザの端末装置の位置を示す撮影位置情報とを受信する受信過程と、検索部が、前記商品情報記憶部に記憶されている前記マッチング用情報の中から、前記受信過程において受信した前記撮影情報に対応するマッチング用情報を特定し、特定した前記マッチング用情報に関連付けられた前記商品特定情報を前記商品情報記憶部から読み出す検索過程と、決済部が、前記検索過程において読み出された前記商品特定情報と関連付けて前記商品情報記憶部に記憶されている前記価格に基づいて請求金額を算出し、ユーザに対する決済処理を行う決済過程と、レベニューシェア計算部が、前記店舗情報記憶部に記憶されている前記店舗位置情報の中から、前記受信過程において受信した前記撮影位置情報に対応する店舗位置情報を特定し、特定した前記店舗位置情報と関連付けて前記店舗情報記憶部に記憶されている前記店舗特定情報により示される前記店舗への支払金額を、前記決済過程において算出した前記請求金額に基づいて計算するレベニューシェア計算過程と、を有することを特徴とする商品販売方法である。